(57)【要約】【目的】レバーを上下運動させるだけでの４本の支柱が同時に上下運動出来るようにして上下シャッターの間隔の調整を瞬時にしかも４カ所同時にバラツキなく無段階に行える米飯盛付機を提供する。【構成】レバーを上下運動させることによって４本の支柱が同時に上下運動出来るようにシャフトとマイタギャーを介して上下シャッターの間隔の調整を瞬時にしかも４カ所同時にバラツキなく無段階に行えるようにした。【選択図】          図２
0003108320.tif 000002
【実用新案登録請求の範囲】
【請求項１】
上部シャッターと下部シャッターの距離調整が機械の稼働中であっても瞬時に調整可能な構造の米飯盛付機用米飯計量ケーシング装置。
【請求項２】
前記米飯計量ケーシング装置を有し、その上部に設けた米飯保持用ホッパーを米飯盛付機本体に設けたレールに抜き差しするだけで脱着が行えるようにしたことを特徴とした米飯盛付機。
【考案の詳細な説明】
【考案の詳細な説明】
【技術分野】
【０００１】  本考案は、弁当箱等の容器に定量ずつ米飯を供給して盛り付ける米飯盛付機に関するものである
【背景技術】
【０００２】  従来の米飯盛付機としては、解しホッパーの下方に米飯計量ケーシング装置を設置し、その下部に内外にスライドする上下２段のシャッターを有するものがあり、上下２段のシャッター間に米飯を区画し、下部のシャッターを開いて下方に位置する弁当箱内に落下させることにより、米飯を供給して盛り付けるものがあった。【０００３】  しかしながら、従来の米飯盛付機では、所定量の米飯を供給するために上部シャッターと下部シャッターの間隔を調整するのには、４カ所おのおののボルトで調整する必要があり、時間と手間を要していた。【０００４】  また米飯盛付機本体が給食センターなどの壁際等に設置されている場合は調整する人が壁際等側に入れないため、上下シャッターで構成されている米飯計量ケーシング装置を一旦取り外して間隔を調整した後再度取り付ける必要があった。【０００５】  その上、４カ所の調整がばらついて弁当箱に均等に米飯が入らないこともあった。一方、電動式のものも存在するが、この方式は高価な上、無段階の微調整ができないなどの問題を有していた。【０００６】  又、米飯計量ケーシング装置上部に取り付けられている米飯保持用ホッパーは蝶ねじなどで固定されており、脱着に時間を要するなどの問題点を有していた。
【考案が解決しようとする課題】
【０００７】  そこで、本考案は、米飯計量ケーシング装置の上下のシャッターの間隔を瞬時にしかも機械の稼働中であっても無段階調整が出来るようにし、併せて、米飯計量ケーシング装置上部の米飯保持用ホッパーも抜き差し動作だけで脱着することが出来る米飯盛付機を提供しようとするものである。
【課題を解決するための手段】
【０００８】  上記の目的を達成するために、レバーを上下運動させることによって４本の支柱が同時に上下運動出来るようにシャフトとマイタギャーを介して上下シャッターの間隔の調整を瞬時にしかも４カ所同時にバラツキなく行えるようにした。
【考案を実施するための最良の形態】
【０００９】  次に、本考案に係る米飯盛付機及び米飯盛付機用米飯計量ケーシングの実施の形態について、図面に基づいて詳しく説明する。【００１０】  図１は本考案の米飯計量ケーシング装置の上方からの断面図である。
図２は本考案の米飯計量ケーシング装置の正面図である。
図３は本考案の米飯保持用ホッパーを含む米飯計量ケーシング装置の側面図である。【００１１】  米飯計量ケーシング装置本体に滑合設置されたシャフト２に固着されているレバー１を上下方向に揺動すれば、このレバー１に固着されているシャフト２が回転する。さらのこのシャフト２の固着されているマイタギャー３が同様に回転する。このマイターギアー３に偶接しているマイタギャー３１並びにこれに固着されているシャフト２１が回転する。【００１２】  さらにこのシャフト２に固着されているピニオンギャー４の回転により、これに偶接されている４本のラック５とこれら４本のラック５に固着されている上部シャッター６が上下運動する。このことにより下部シャッター７との間隙寸法を瞬時にバラツキなく調整出来る。【００１３】  希望する間隙寸法の位置にした時に、蝶ボルト８を締結すれば、希望する間隙寸法を保持することが出来る。【００１４】  一方、米飯計量ケーシング装置本体に固着された２本のレール９に滑合設置されたホッパー取り付けベース１０と一体の米飯保持用ホッパー１１抜き差し動作だけで２本のレール９から脱着することが出来る。
【考案の効果】
【００１５】  本考案は、上述の通り構成されているので、次に記載する効果を奏する。
米飯の供給量が瞬時に調整可能になり、ばらつきもなくなった。また、米飯盛付機が稼働中でも無段階で調整可能である。
【００１６】  米飯保持用ホッパーに関しては、米飯保持用ホッパーを抜き差しの動作だけで、ワンタッチで本体に脱着できるので極めて高い作業効率を提供できる。
【００１７】  また米飯の供給量を調整する時、上下シャッターで構成されている米飯計量ケーシング装置を一旦取り外して間隔を調整する必要がないので米飯盛付機本体を給食センターなどの壁際等に設置することも出来る。このため設置場所の制約が少なくなり、給食センター内の面積の有効活用と作業効率の向上に寄与出来る。
【図面の簡単な説明】
【００１８】
【図１】本考案の米飯計量ケーシング装置の上方からの断面図である。
【図２】本考案の米飯計量ケーシング装置の正面図である。
【図３】本考案の米飯保持用ホッパーを含む米飯計量ケーシング装置の側面図である。
【符号の説明】
１・・・レバー
２・・・シャフト
２１・・シャフト．
３・・・マイタギャー
３１・・マイタギャー
４・・・ピニオンギャー
５・・・ラック
６・・・上部シャッター
７・・・下部シャッター
８・・・蝶ボルト
９・・・レール
１０・・ホッパー取り付けベース
１１・・米飯保持用ホッパー
【図１】
0003108320.tif 000003
【図２】
0003108320.tif 000004
【図３】
0003108320.tif 000005
【手続補正書】
【提出日】平成16年6月25日(2004.6.25)
【手続補正１】
【補正対象書類名】実用新案登録請求の範囲
【補正対象項目名】全文
【補正方法】変更
【補正の内容】
【実用新案登録請求の範囲】
【請求項１】
上部シャッターと下部シャッターの距離調整を機械の稼働中であっても調整可能とするために、レバーを上下運動させることによって４本の支柱が同時に上下運動出来るようにシャフトとマイタギャーを介して上下シャッターの間隙の調整を瞬時に行えることを特徴とした米飯盛付機用米飯計量ケーシング装置。
【請求項２】
請求項１記載の米飯盛付機用米飯計量ケーシング装置において、この装置本体上部に固着された２本のレールの滑合設置することによりホッパー取り付けベースと一体の米飯保持用ホッパーを抜き差しするだけで脱着が行えるようにしたことを特徴とした米飯盛付機。
【手続補正書】
【提出日】平成16年11月6日(2004.11.6)
【手続補正１】
【補正対象書類名】実用新案登録請求の範囲
【補正対象項目名】全文
【補正方法】変更
【補正の内容】
【実用新案登録請求の範囲】
【請求項１】
米飯計量ケーシング装置本体に滑合設置されたシャフト２に固着されているレバーを上下方向に揺動すれば、このレバーに固着されているシャフト２が回転し、このシャフト２の固着されているマイタギャー３が同様に回転し、さらに、このマイターギアー３に偶接しているマイタギャー３１並びにこれに固着されているシャフト２１が回転する構造であって、さらにこのシャフト２に固着されているピニオンギャーの回転により、これに偶接されている４本のラックとこれら４本のラックに固着されている上部シャッターが上下運動することにより下部シャッターとの間隙寸法をバラツキなく調整を瞬時に行えることを特徴とした米飯盛付機用米飯計量ケーシング装置。
【請求項２】
請求項１記載の米飯盛付機用米飯計量ケーシング装置において、この装置本体上部に固着された２本のレールの滑合設置することによりホッパー取り付けベースと一体の米飯保持用ホッパーを抜き差しするだけで脱着が行えるようにしたことを特徴とした米飯盛付機。